(57)【要約】【課題】進退移動量が大きく、駆動負荷抵抗の変動が少なく、画像の像揺れも防止できるレンズ鏡枠を提供する。【解決手段】レンズ鏡枠１は、進退可能であって、複数対をなすカムフォロア９b1，９c1および９b2，９c2を備えた二群枠９と、回転可能な枠部材であって、上記カムフォロア９b1，９c1との係合切り換えが可能であって、複数対をなすカム溝７b1および遊嵌溝７d1と、遊嵌溝７e1およびカム溝７c1とからなる第一カム部と、さらに、上記カムフォロア９b2，９c2との係合切り換えが可能であって、複数対をなすカム溝７b2および遊嵌溝７d2と、遊嵌溝７e2およびカム溝７c2とからなる第二カム部とを備えたカム枠７とを有しており、上記第一カム部におけるカムフォロアの係合切り換えが行われるカム枠回転位相と、上記第二カム部におけるカムフォロアの係合切り換えが行われるカム枠回転位相とが異なっている。【選択図】図４
2008122480.tif 000002
【特許請求の範囲】
【請求項１】
光軸方向に移動可能な枠部材であって、第一のカムフォロアと第二のカムフォロアからなる第一のカムフォロア手段と、第三のカムフォロアと第四のカムフォロアからなる第二のカムフォロア手段とが設けられている第一の枠部材と、
光軸周りに回転可能な枠部材であって、該枠部材の周面に設けられ、該枠部材の回転に伴って上記第一のカムフォロアと係合し、該枠部材の周面途中で消失する第一のカム溝と、該周面途中でこの第一のカム溝に連続して上記第一のカムフォロアとの接触を避ける第一の逃げ部位と、上記第一のカムフォロアと第一のカム溝とが係合しているとき、該枠部材の周面上で上記第二のカムフォロアとは接触しない第二の逃げ部位と、上記第一のカムフォロアと第一のカム溝とが係合していないときには、該枠部材の回転に伴い該枠部材の周面途中で上記第二のカムフォロアと係合する第二のカム溝とからなり、第一のカム溝と第二のカム溝との切換を行う第一のカム手段と、
該枠部材の周面に設けられ、該枠部材の回転に伴い上記第三のカムフォロアと係合し、該枠部材の周面途中で消失する上記第一のカム溝と同一形状の第三のカム溝と、該周面途中でこの第三のカム溝に連続して上記第三のカムフォロアとの接触を避ける第三の逃げ部位と、上記第三のカムフォロアと第三カム溝とが係合しているとき、該枠部材の周面上で上記第四のカムフォロアとは接触しない第四の逃げ部位と、上記第三のカムフォロアと第三のカム溝とが係合していないときには、該枠部材の回転に伴い該枠部材の周面途中で上記第四のカムフォロアと係合する上記第二のカム溝と同一形状の第四のカム溝とからなり、第三のカム溝と第の四カム溝との切換を行う第二のカム手段と、
を有する第二の枠部材と、
を具備し、上記第一のカム手段と上記第一のカムフォロア手段との切換と、上記第二のカム手段と上記第二のカムフォロア手段との切換とが順次行われることを特徴とするレンズ鏡枠。
【請求項２】
上記第一のカム手段と上記第二のカム手段は、上記第二の枠部材の周方向にずれて配置されていることを特徴とする請求項１記載のレンズ鏡枠。
【請求項３】
上記第一のカムフォロアと上記第一のカム溝との係合と上記第二のカムフォロアと上記第二のカム溝との係合が切り換わるとき、上記第一のカムフォロアと上記第一のカム溝との係合状態と上記第二のカムフォロアと上記第二のカム溝との係合状態が同時に発生することを特徴とする請求項１記載のレンズ鏡枠。
【請求項４】
上記第一のカムフォロアと上記第一のカム溝との係合と上記第二のカムフォロアと上記第二のカム溝との係合が切り換わるとき、上記第一のカムフォロアと上記第一のカム溝との係合解除と上記第二のカムフォロアと上記第二のカム溝との係合解除が同時に発生することを特徴とする請求項１記載のレンズ鏡枠。
【請求項５】
上記第一のカムフォロアと上記第一のカム溝との係合と上記第二のカムフォロアと上記第二のカム溝との係合が切り換わるとき、上記第一のカムフォロアと上記第一のカム溝との係合と上記第二のカムフォロアと上記第二のカム溝との係合はどちらか一方の係合しか行われないことを特徴とする請求項１記載のレンズ鏡枠。
【発明の詳細な説明】
【技術分野】
【０００１】
本発明は、光軸方向に移動可能な枠部材を有するレンズ鏡枠の構造に関する。
【背景技術】
【０００２】
従来の光軸方向に移動可能な可動枠と該可動枠を進退駆動するためのカム環を有する通常のレンズ鏡枠は、例えば、上記カム環側に単列３本のカム溝と、上記可動枠側に３つのカムフォロワを設け、それぞれを互いに係合させた構造を有している。そして、上記カム環の駆動に伴って上記可動枠が進退駆動される。このような構造のレンズ鏡枠では上記可動枠の進退移動量が上記カム環側のカム溝の光軸方向の配置スペ−スにより制限される。従って、可動枠の繰り出し量が制限され、可動枠をより長い距離、繰り出す必要がある場合にはレンズ鏡筒が光軸方向に長くなってしまうという問題があった。
【０００３】
そこで、上記従来のレンズ鏡枠に対して可動枠部材のより大きな繰り出し量が得られ、かつ、沈胴時のレンズ鏡枠に長さも短くできるレンズ鏡枠の構造が特許文献１に提案されている。このレンズ鏡枠は、回転駆動されるカム環と、回転規制状態で進退駆動される可動環とを内蔵している。図９，１０は、上記レンズ鏡枠のカム環１１０のカム溝の可動環８０のカムフォロアが係合する状態の展開図であって、図９がワイド状態を示し、図１０がテレ状態を示している。
【０００４】
図９，１０に示すようにカム環１１０の内周部には複列（一対）のカム溝１１０a1、１１０a2が３組設けられている。可動環８０の外周部には複列式のカムフォロアタイプの一対のカムフォロア８０b1，８０b2が３組設けられている。カム環１１０が回転駆動されると、カムフォロア８０b1，８０b2がカム溝１１０a1、１１０a2に沿って進退駆動され、可動環８０は、カム環１１０に対して沈胴位置からワイド位置、さらに、テレ位置まで相対的に移動する。
【０００５】
図９に示すように一方のカム溝１１０a2は、ワイド位置前後のカム溝軌跡の途中位置で途切れており、そのワイド位置前後の駆動期間中、一方のカムフォロア８０b2がカム溝１１０a2から解放されたフリー状態となる。また、図１０に示すように他方のカム溝１１０a1は、テレ位置近傍にあるとき、途切れた状態になっており、他方のカムフォロア８０b1がカム溝１１０a1から解放されたフリー状態となる。また、上記ワイド位置前後およびテレ位置近傍の他の駆動期間中には、カムフォロア８０b1，８０b2とカム溝１１０a1、１１０a2とがそれぞれが同時に係合状態にある（図９のカムフォロア８０b1′，８０b2′）。
【０００６】
したがって、上記レンズ鏡枠の複列カムフォロア構造を採用することにより単列のカム溝と単一のカムフォロアを係合させる通常のレンズ鏡枠の進退機構を採用するものと比較して短いカム環の採用しても可動環のより大きな進退移動量を得ることができる。
【特許文献１】特開２００４−２３３９２８号公報
【発明の開示】
【発明が解決しようとする課題】
【０００７】
しかし、前述したように特許文献１に開示されたレンズ鏡枠の複列カムフォロア構造のものは、上記ワイド位置前後およびテレ位置近傍を除く駆動期間中、一対のカムフォロア８０b1，８０b2と一対のカム溝１１０a1、１１０a2とからなる３組のものが同時に係合する期間が存在する。上記カムフォロアとカム溝には、部品精度上、位置ずれがある。従って、多数の寸法ずれを有したままの状態だと、上記駆動期間中、駆動抵抗が大きくなる可能性があり、カム環の詰まりや画像の像揺れの発生が危惧される。
【０００８】
本発明は、上述の問題を解決するためになされたものであり、光軸方向に短い枠部材を適用し、進退移動量が大きく、進退駆動負荷抵抗の変動が少なく、スムーズな進退駆動が可能であり、画像の像揺れ等の発生も防止できるレンズ鏡枠を提供することを目的とする。
【課題を解決するための手段】
【０００９】
本発明の請求項１記載のレンズ鏡枠は、光軸方向に移動可能な枠部材であって、第一のカムフォロアと第二のカムフォロアからなる第一のカムフォロア手段と、第三のカムフォロアと第四のカムフォロアからなる第二のカムフォロア手段とが設けられている第一の枠部材と、光軸周りに回転可能な枠部材であって、該枠部材の周面に設けられ、該枠部材の回転に伴い上記第一のカムフォロアと係合し、該枠部材の周面途中で消失する第一のカム溝と、該周面途中でこの第一のカム溝に連続して上記第一のカムフォロアとの接触を避ける第一の逃げ部位と、上記第一のカムフォロアと第一のカム溝とが係合しているとき、該枠部材の周面上で上記第二のカムフォロアとは接触しない第二の逃げ部位と、上記第一のカムフォロアと第一のカム溝とが係合していないときには、該枠部材の回転に伴い該枠部材の周面途中で上記第二のカムフォロアと係合する第二のカム溝とからなり、第一のカム溝と第二のカム溝との切換を行う第一のカム手段と、該枠部材の周面に設けられ、該枠部材の回転に伴い上記第三のカムフォロアと係合し、該枠部材の周面途中で消失する上記第一のカム溝と同一形状の第三のカム溝と、該周面途中でこの第三のカム溝に連続して上記第三のカムフォロアとの接触を避ける第三の逃げ部位と、上記第三のカムフォロアと第三カム溝とが係合しているとき、該枠部材の周面上で上記第四のカムフォロアとは接触しない第四の逃げ部位と、上記第三のカムフォロアと第三のカム溝とが係合していないときには、該枠部材の回転に伴い該枠部材の周面途中で上記第四のカムフォロアと係合する上記第二のカム溝と同一形状の第四のカム溝とからなり、第三のカム溝と第の四カム溝との切換を行う第二のカム手段とを有する第二の枠部材とを具備し、上記第一のカム手段と上記第一のカムフォロア手段との切換と上記第二のカム手段と上記第二のカムフォロア手段との切換が順次行われる。
【００１０】
本発明の請求項２記載のレンズ鏡枠は、請求項１記載のレンズ鏡枠において、上記第一のカム手段と上記第二のカム手段は、上記第二の枠部材の周方向にずれて配置されている。
【００１１】
本発明の請求項３記載のレンズ鏡枠は、請求項１記載のレンズ鏡枠において、上記第一のカムフォロアと上記第一のカム溝との係合と上記第二のカムフォロアと上記第二のカム溝との係合が切り換わるとき、上記第一のカムフォロアと上記第一のカム溝との係合状態と上記第二のカムフォロアと上記第二のカム溝との係合状態が同時に発生する。
【００１２】
本発明の請求項４記載のレンズ鏡枠は、請求項１記載のレンズ鏡枠において、上記第一のカムフォロアと上記第一のカム溝との係合と上記第二のカムフォロアと上記第二のカム溝との係合が切り換わるとき、上記第一のカムフォロアと上記第一のカム溝との係合解除と上記第二のカムフォロアと上記第二のカム溝との係合解除が同時に発生する。
【００１３】
本発明の請求項５記載のレンズ鏡枠は、請求項１記載のレンズ鏡枠において、上記第一のカムフォロアと上記第一のカム溝との係合と上記第二のカムフォロアと上記第二のカム溝との係合が切り換わるとき、上記第一のカムフォロアと上記第一のカム溝との係合と上記第二のカムフォロアと上記第二のカム溝との係合はどちらか一方の係合しか行われない。
【発明の効果】
【００１４】
本発明によれば、レンズ鏡枠に光軸方向の長さを短くした枠部材を適用し、レンズ光学系の進退量が大きく、スムーズな進退駆動も可能なレンズ鏡枠を提供することができる。
【発明を実施するための最良の形態】
【００１５】
以下、図を用いて本発明の実施形態について説明する。  
図１〜３は、本発明の一実施形態のレンズ鏡枠を内蔵するレンズ鏡筒の光軸を含む各状態での断面図であって、図１が沈胴状態、図２がワイド状態、図３がテレ状態をそれぞれ示している。図４は、上記レンズ鏡筒を構成するレンズ鏡枠であるカム枠と二／三群枠ユニットとフロートキーとの分解斜視図である。図５は、カム溝と遊嵌溝が配される上記カム枠の内周面の展開図に該カム溝に係合するカムフォロワを合わせて示した図である。図６は、上記カム枠におけるカム溝切り換え部の拡大展開図である。
【００１６】
なお、以下の説明において、上記撮影レンズの光軸をＯとし、該光軸Ｏ方向の被写体側を前方（繰り出し側）とし、結像面側（繰り込み側）を後方とする。枠部材の回転方向は、被写体側からみた回転方向で示す。
【００１７】
本実施形態のレンズ鏡筒１は、沈胴式のズーミング可能なレンズ鏡筒であり、図１〜３に示すように固定枠２と、固定枠２に支持され、ズーミング時や沈胴駆動時に回転進退駆動される回転枠３と、回転枠３とともに光軸方向に進退する移動枠４と、回転枠３と共に回転し、相対的に光軸方向に進退移動する第二の枠部材であるカム枠７と、カム枠７とともに進退する直進ガイド枠５と、カム枠７により光軸方向に進退駆動される一群枠６と、一群枠６の前面部に固着される飾り板１６と、カム枠７とともに光軸方向に進退するフロートキー１１と、フロートキー１１により回転規制されて、カム枠５により光軸方向に進退駆動される二／三群ユニット８と、固定枠２の後端側に一体結合される保持プレート１２および該プレートに保持されるＣＣＤユニットとを有している。また、レンズ鏡筒１は、撮影レンズ群として、一群枠６，二群枠９，三群枠１０にそれぞれ保持される一群レンズ２１，二群レンズ２２，三群レンズ２３とを有している。
【００１８】
固定枠２は、カメラ本体等の撮影装置に固着される円筒状の部材であり、内周部にカム溝、円周溝および直進溝とが設けられている。
【００１９】
回転枠３は、固定枠２の内周部に嵌入し、回転進退可能な円筒状の部材であり、外周後方部に固定枠２の上記カム溝および円周溝に摺動可能に嵌入するカムフォロア３ａと、ロングギヤ（図示せず）と噛合するギヤ部とが設けられている。また、内周部には直進溝および円周溝が設けられている。
【００２０】
この回転枠３は、ズーム駆動モータ（図示せず）により上記ロングギヤを介して回転駆動され、沈胴位置から撮影可能な位置まで光軸Ｏ方向に繰り出され、さらに、ズーミング時には該撮影可能位置で回転駆動される。
【００２１】
移動枠４は、回転枠３の内周部に相対回転可能に嵌入する円筒部材であり、内周部には光軸Ｏ方向に対して傾斜するカム枠用カム溝とフロートキー／直進ガイド枠用直進溝とが設けられている。
【００２２】
この移動枠４は、固定枠２の上記直進溝に嵌入するガイド突起４ａにより回転規制された状態で回転枠３の上記円周溝に嵌入する周方向突部４ｂにより回転枠３に対してバヨネット結合される。従って、移動枠４は、固定枠２に回転規制されながら回転枠３ともに光軸Ｏ方向に進退可能に支持される。
【００２３】
カム枠７は、移動枠４の内周部に嵌入し、両端それぞれに開口を有する円筒状の部材である。このカム枠７の外周後方部に先端突起７ｃをもつカムフォロア７ｂが設けられ、外周部に円周方向のガイド突部７ａおよび光軸Ｏ方向に対して傾斜した一群用カム溝７ｄが設けられている。
【００２４】
また、カム枠７の内周部には、図５に示すように光軸Ｏ方向に沿った３つのカムフォロア挿入溝７j1，７j2，７j3と、該カムフォロア挿入溝の＋θ側に連通した状態で配される二群枠駆動用カム筋に沿った三対のカム溝および遊嵌溝とが設けられる。なお、このカム溝および遊嵌溝の形状については、後で詳細に説明する。
【００２５】
カム枠７のカムフォロア７b は、移動枠４の上記カム溝に摺動可能に係合した状態で移動枠４を貫通し、その先端突起７ｃが回転枠３の直進溝に嵌入している。従って、カム枠７は、回転枠３と共に光軸Ｏまわりに回動し、かつ、相対的に光軸Ｏ方向に進退可能な状態で支持される。
【００２６】
直進ガイド枠５は、移動枠４の内周に嵌入され、光軸Ｏ方向に進退可能な円筒部材であって、外周部にガイド突起５ａと、内周部に円周方向ガイド溝部および直進ガイド溝が設けられている。
【００２７】
この直進ガイド枠５は、ガイド突起５ａを移動枠４の上記直進溝に摺動可能に嵌入させ、かつ、カム枠７に対して上記円周方向ガイド溝部にカム枠７のガイド突部７ａを嵌入させてバヨネット結合される。従って、直進ガイド枠５は、移動枠４により回転規制された状態でカム枠７と共に光軸Ｏ方向に進退可能な状態で支持される。
【００２８】
一群枠６は、直進ガイド枠５の内周部とカム枠７の外周部との間に嵌入し、光軸Ｏ方向に進退駆動される円筒状枠部材であり、内周部には突出したカムフォロア６ｄが配され、外周部に光軸Ｏに沿ったガイド突部６ｂが設けられている。また、前面開口部には一群レンズ２１が保持されている。なお、一群枠６の前面部には飾り板１６が固着されており、該飾り板１６との間に一群レンズ２１の前面を開閉するレンズバリア２０が配されている。
【００２９】
一群枠６のカムフォロア６ｄは、カム枠７のカム溝７ｄに嵌入する。ガイド突部６ｂは、直進ガイド枠５の直進溝に嵌入する。したがって、一群枠６は、直進ガイド枠５により回転規制された状態でカム枠７により光軸Ｏ方向に進退駆動される。
【００３０】
フロートキー１１は、円環状の部材であり、図４に示すように外周に突出する突起部１１ｂと、前方に延びるガイド突起部１１ｃとが設けられている。フロートキー１１は、突起部１１ｂが移動枠４の上記直進溝に摺動可能に嵌入し、かつ、外周部１１ａがカム枠７の後方部の周方向ガイド溝に摺動可能に嵌入した状態でカム枠７に対してバヨネット結合している。従って、フロートキー１１は、移動枠４により回転規制された状態でカム枠７とともに進退駆動される。
【００３１】
二／三群ユニット８は、図４に示すように二群レンズ２２を保持する第一の枠部材である二群枠９と、三群レンズ２３を保持する三群枠１０とからなる。
【００３２】
二群枠９は、カム枠７の内周部に嵌入して支持される筒状枠部材である。その外周部にはカム枠７の上記カム溝，遊嵌溝に係合、および、挿入（遊嵌）されるカムフォロアであって、光軸Ｏと平行な方向の位置に所定の距離離間した対のカムフォロア（複列のカムフォロア）が周方向三カ所に三対配されている（図５）。このカムフォロアの配置等については、後で詳細に説明する。
【００３３】
また、二群枠９にはフロートキー１１のガイド突起１１ｃが摺動可能に光軸Ｏ方向に貫通する直進ガイド溝（図示せず）が設けられる。従って、二群枠９は、フロートキー１１により回転規制された状態でカム枠７の回転に伴って光軸Ｏ方向に進退移動する。
【００３４】
三群枠１０は、二群枠９によりガイド軸３１と回動規制軸（図示せず）を介して進退可能に支持されている。この三群枠１０は、沈胴駆動時およびフォーカス駆動時にフォーカシングモータ３３によりギヤ列３４を介して駆動される送りねじ３２によって回転駆動され、二群枠９に対して相対的に光軸Ｏ方向に進退移動する。
【００３５】
保持プレート１２は、光学ローパスフィルタ１３および保護ガラス１４付き撮像素子１５を支持した状態で、固定枠２の後端面に固着される。
【００３６】
撮像素子１５の結像面には、各レンズ群２１〜２３を透過した被写体光が結像し、撮像素子１５より被写体像の撮像電気信号が出力される。
【００３７】
次に、上述した構成を有するレンズ鏡筒１の進退動作について図１〜３を用いて説明する。
【００３８】
図１に示すようにレンズ鏡筒１が沈胴状態にあるときは、回転枠３，移動枠４，直進ガイド枠５，一群枠６，カム枠７は、固定枠２の内部の沈胴位置まで繰り込まれており、さらに、二群枠９および三群枠１０もカム枠７の内部の沈胴位置、すなわち、一群枠６の被写体側端面から光軸Ｏ後方に向かって保持プレート１２までの間にカム枠７，直進ガイド枠５，回転枠３，移動枠４，固定枠２，二／三群ユニット８が納められている状態に収納されている。また、レンズバリア２０は、一群レンズ２１の前面を覆う閉位置にある。
【００３９】
レンズ鏡筒１を撮影可能なワイド状態にするために、回転枠３を反時計回りに所定角だけ回動駆動すると、図２に示すように回転枠３が移動枠４と共に撮影可能位置まで繰り出される。回転枠３によりカム枠７が回転駆動され、直進ガイド枠５と共に撮影可能なワイド位置まで繰り出される。カム枠７の回転と繰り出し動作に従い、一群枠６がワイド位置まで繰り出される。
【００４０】
一方、二群枠９は、カム枠７に対して相対的に後方のワイド位置に移動する。そのとき、二群枠９の上記対のカムフォロアのうち、後方側のカムフォロア９c1，９c2，９c3（後述）がカム枠７のカム溝から外れ、カム枠７の後端面より後方に突出し、露呈する。三群枠１０は、さらに後方のフォーカシング位置まで進退駆動される。
【００４１】
レンズ鏡筒１をテレ状態にするために、回転枠３が撮影可能位置で反時計回りにさらに所定角だけ回動駆動されると、図３に示すようにさらにカム枠７が回転され、直進ガイド枠５と共にテレ位置までわずかに繰り込まれる。カム枠７の回転と繰り込み動作に従い、一群枠６もテレ位置まで繰り込まれる。
【００４２】
一方、二群枠９は、カム枠７に対して相対的に前方に移動し、二群枠９の上記対のカムフォロアのうち、前方のカムフォロア９b1，９b2，９b3（後述）がカム枠７のカム溝から外れ、カム枠７の前端面より前方に突出し、露呈したテレ位置に移動する。三群枠１０も前方のフォーカシング位置に移動する。
【００４３】
ここで、カム枠７の内周面に配されたカム溝，遊嵌溝および二群枠９外周面に配されたカムフォロアの配置、形状、更に、カム枠７と二群枠９との相対進退駆動時におけるのカム溝切り換え動作の詳細について、図５のカム枠内周面の展開図、および、図６のカム枠のカム溝切り換え部（カム溝切り換え回転位置θe1周辺）の拡大展開図等を用いて説明する。
【００４４】
なお、図５の展開図上で回転位置（角度）θは、二群枠９のカムフォロアのカム枠７に対する相対的回転位置を示している。そして、実際にはカム枠７が二群枠９に対して回転する。従って、以下の説明において、このθは、カム枠７の回転角度と同じで、カム枠７の反時計回りの場合を＋θ（図５ではカムフォロアが右方向に相対移動）、時計回りの場合を−θ（図５ではカムフォロアが右方向に相対移動）として説明する。
【００４５】
二群枠９の外周に配されるカムフォロアは、三対のテーパ面をもつカムフォロア群からなる。すなわち、対をなす第一，二のカムフォロアであるカムフォロア９b1，９c1と、第三，第四のカムフォロアであるカムフォロア９b2，９c2と、対をなす第三，第四のカムフォロアであるカムフォロア９b3，９c3とからなり、該三対のカムフォロアが周方向３カ所にずれて配され、かつ、三対が光軸Ｏ方向には一定の位置にあって、一対毎のカムフォロア同士の光軸Ｏ方向の間隔が一定距離、離間して配されている（図４，５）。
【００４６】
一方、カム枠７の内周部には三対のテーパ溝群が配される。このテーパ溝群は、溝の中心軌跡を与える三対のカム筋に沿って配され、二群枠９の各カムフォロア群が係合（ガタのない状態の嵌合とするか、もしくは、ガタがあったとしてもレンズ鏡筒の光学性能に悪影響を与えない程度の嵌合状態での係合）可能な、二群枠９を光軸Ｏ方向に駆動するカム溝、および、遊嵌（ガタのある状態の嵌合とする）可能な遊嵌溝からなる。
【００４７】
上記カム筋は、カム枠７の光軸Ｏに対して傾斜する同一の軌跡（三対）を有するものであり、二群枠９の上記カムフォロアに対応した状態で内面周方向の三カ所の位置にずれて配置される三対のカム筋からなる。なお、カム筋とはカムフォロアを有する枠部材（本説明では二群枠９）を光軸Ｏ方向に設計通りに移動させるカム軌跡のことである。
【００４８】
そのうち、一対は、カム筋（第一のカム筋）７h1と、カム筋（第二のカム筋）７i1とからなる。他の一対は、上記カム筋の−θ側に隣り合って位置し、カム筋７h1および７i1と合同形状であるカム筋（第一のカム筋）７h2と、カム筋（第二のカム筋）７i2とからなる。さらに他の一対は、上記カム筋の−θ側に隣り合って位置し、カム筋７h1および７i1と合同形状であるカム筋（第一のカム筋）７h3とカム筋（第二のカム筋）７i3とからなる。
【００４９】
カム筋７h1と７i1、また、カム筋７h2と７i2、さらに、カム筋７h3と７i3は、それぞれを二群枠９の上記一対のカムフォロアの光軸Ｏ方向の離間距離に対応した距離だけ光軸Ｏに平行移動させて配置されている。
【００５０】
そして、カム枠７の上記三対のカム溝および遊嵌溝のうち、一対は、カム筋７h1に沿って配されているカム溝（第一のカム溝）７b1および該カム溝の＋θ側に連通状態で接続する遊嵌溝（第一の逃げ部位，非係合部位）７d1と、カム筋７i1に沿って配される遊嵌溝（第二の逃げ部位，非係合部位）７e1および該遊嵌溝の＋θ側に連通状態で接続するカム溝（第二のカム溝）７c1とからなる。なお、上記各遊嵌溝は、上記各カム溝からみるとカム筋上からカム溝が消失した状態の溝であると言うことができる。
【００５１】
また、他の一対は、カム筋７h2に沿って配されるカム溝（第三，第一のカム溝）７b2および該カム溝の＋θ側に連通状態で接続する遊嵌溝（第三，第一の逃げ部位，非係合部位）７d2と、カム筋７i2に沿って配される遊嵌溝（第四，第二の逃げ部位，非係合部位）７e2および該遊嵌溝の＋θ側に連通状態で接続するカム溝（第四，第二のカム溝）７c2とからなる。
【００５２】
さらに、他の一対は、カム筋７h3に沿って配されるカム溝（第三，第一のカム溝）７b3および該カム溝の＋θ側に連通状態で接続する遊嵌溝（第三，第一の逃げ部位，非係合部位）７d3と、カム筋７i3に沿って配される遊嵌溝（第四，第二の逃げ部位，非係合部位）７e3および該遊嵌溝の＋θ側に連通状態で接続するカム溝（第四，第二のカム溝）７c3とからなる。
【００５３】
遊嵌溝７d1，７d2，７d3は、それぞれカム枠７の前端面で欠損しており、溝開口部７f1，７f2，７f3を有する。また、遊嵌溝７e1，７e2，７e3は、カム枠７の後端面で欠損しており、それぞれ２つの溝開口部７g1，７g2，７g3を有する。
【００５４】
カム溝７b1，７b2，７b3，７c1，７c2，７c3は、二群枠９のカムフォロアがガタのない状態で係合する溝幅を有する台形断面の溝（詳しくは、溝が深くなるにつれて溝幅が狭くなる断面の溝）である。一方、遊嵌溝７d1，７d2，７d3，７e1，７e2，７e3は、二群枠９のカムフォロアがガタのある状態で遊嵌する溝幅を有する台形断面の溝（詳しくは、溝が深くなるにつれて溝幅が狭くなる断面の溝）である。
【００５５】
カム溝７b1，７b2，７b3は、遊嵌溝７d1，７d2，７d3とそれぞれ溝切り換え点Ｐa1，Ｐa2，Ｐa3で連通（連続）しており、該溝切り換え点から該各遊嵌溝側（＋θ側）に向けて溝幅が徐々に広がっている。カム溝７c1，７c2，７c3も同様に遊嵌溝７e1，７e2，７e3とそれぞれ溝切り換え点Ｐb1，Ｐb2，Ｐb3で連通（連続）しており、該溝切り換え点から該各遊嵌溝側（−θ側）に向けて溝幅が徐々に広がっている。
【００５６】
溝切り換え点Ｐa1とＰb1、溝切り換え点Ｐa2とＰb2、溝切り換え点Ｐa3とＰb3は、それぞれが一対をなしてワイド回転位置θｗからテレ回転位置θｔの間の光軸Ｏ方向に沿ってに配されている。その周方向位置は、ワイド回転位置θｗからそれぞれ異なる角度離間したカム溝切り換え回転位置θe1，θe2，θe3上に配されている。
【００５７】
言い換えると、上記カム溝切り換え回転位置は、それぞれワイド回転位置θｗからの離間した角度回転角θe1，θe2，θe3にあって、それぞれ異なり、この第一の実施形態では、
θe1＜θe2＜θe3  …（１）
となっている。但し、上記離間した角度回転角は、上記大小の関係に限らず、
θe1≠θe2，θe2≠θe3，θe1≠θe3  …（２）
を採用することも可能である。
【００５８】
従って、図５に示すようにカム溝切り換え回転位置θe1，θe2，θe3におけるカムフォロアの光軸Ｏ方向におけるカム溝から遊嵌溝、および、遊嵌溝からカム溝への切り換わり位置は、それぞれが異なっている。よって、各カム溝切り換え回転位置θe1，θe2，θe3における二群枠９のカム枠７に対する光軸Ｏ方向への相対的繰り出し量は異なることになる。
【００５９】
具体的にはカムフォロア９b1，９c1のカム溝切り換え回転位置θe1における二群枠９のカム枠７に対する光軸Ｏ方向への相対的繰り出し位置と、カムフォロア９b2，９c2のカム溝切り換え回転位置θe2における二群枠９のカム枠７に対する光軸Ｏ方向への相対的繰り出し位置との光軸Ｏ方向における位置差Ｓ1 が存在する。また、カムフォロア９b2，９c2のカム溝切り換え回転位置θe2における二群枠９のカム枠７に対する光軸Ｏ方向への相対的繰り出し位置と、カムフォロア９b3，９c3のカム溝切り換え回転位置θe3における二群枠９のカム枠７に対する光軸Ｏ方向への相対的繰り出し位置との光軸Ｏ方向における位置差Ｓ2 も存在する。
【００６０】
二群枠９の上記各カムフォロアは、カム枠７の上記各カム溝に対して係合し、また、上記各遊嵌溝に対して遊嵌する。なお、上記係合はガタのない、または、ガタの極めて少ない状態での嵌合状態であり、また、ガタがあってもレンズ鏡筒のレンズ光学性能に悪影響を与えない程度のものとする。そして、遊嵌とはガタのある状態、あるいは、接触しない非係合状態での嵌合状態とする。
【００６１】
そして、二群枠９は、カム枠７の回転に伴い、カムフォロアが係合するカム溝により沈胴位置から撮影可能なワイド位置およびテレ位置に繰り出される。レンズ鏡筒１が沈胴状態にあるときは、上記各カムフォロアは、カム枠７の沈胴回転位置（角度）θcにある。この状態では、二群枠９の一方のカムフォロア９b1，９b2，９b3がカム溝７b1，７b2，７b3の少なくとも２つがガタなしの係合状態にあり、また、他方のカムフォロア９c1，９c2，９c3が遊嵌溝７e1，７e2，７e3にガタのある状態で挿入されており、カム枠７の内側に二群枠９は収納された状態にある（図１）。
【００６２】
カム枠７が沈胴回転位置θcからワイド回転位置θwに向けて回転するときは、二群枠９の一方のカムフォロア９b1，９b2，９b3がカム溝７b1，７b2，７b3にガタなし状態で係合しており、該カム溝に沿って二群枠９がカム枠７に対して相対的にワイド位置まで繰り込まれる（固定枠２に対しては繰り出される）。この期間中、二群枠９の他方のカムフォロア９c1，９c2，９c3は、遊嵌溝７e1，７e2，７e3中をガタのある挿入状態で通過する。
【００６３】
ワイド回転位置θwに到達すると、二群枠９が相対的に後方のワイド位置に移動するがそのとき、上記他方のカムフォロアは、後端面よりも後方に飛び出した解放状態（すなわち、遊嵌溝からの離脱状態）となり、二群枠９の一部が該後端面より突出する（図２，５）。
【００６４】
続いて、カム枠７がワイド回転位置θwからテレ回転位置θtに向けて回転を始めると、一方のカムフォロア９b1，９b2，９b3がカム溝７b1，７b2，７b3と係合状態のままで二群枠９が前方に繰り出される。他方のカムフォロア９c1，９c2，９c3は、再度、遊嵌溝７e1，７e2，７e3中にガタのある状態で挿入される。
【００６５】
カム枠７がカム溝切り換え回転位置θe1に到達したとき、カムフォロア９b1が溝切り換え点Ｐa1に達し、同時にカムフォロア９c1が溝切り換え点Ｐb1に達する。そこで、カムフォロア９b1は、遊嵌溝７d1に移り（図６のガタあり領域ｄa）、カムフォロア９c1は、カム溝７c1に係合する状態に切り換わる（図６のガタのない領域ｄb）。
【００６６】
他のカムフォロア９b2，９b3は、カム溝７b2，７b3と係合している状態で、また、カムフォロア９c2，９c3は、遊嵌溝７e2，７e3中に挿入している状態を維持してカム枠７の＋θ方向への回転がなされ、二群枠９のテレ位置方向への繰り出しが行われる。
【００６７】
続いて、カム枠７がカム溝切り換え回転位置θe2に達すると、カムフォロア９b2が溝切り換え点Ｐa2に達し、同時にカムフォロア９c2が溝切り換え点Ｐb2に達する。そこで、カムフォロア９b2は、遊嵌溝７d2に移り、カムフォロア９c2がカム溝７c2と係合する状態に切り換わる。
【００６８】
続いて、カム枠７がカム溝切り換え回転位置θe3に達すると、カムフォロア９b3が溝切り換え点Ｐa3に達し、同時にカムフォロア９c3が溝切り換え点Ｐb3に達する。そこで、カムフォロア９b3は、遊嵌溝７d3に移り、カムフォロア９c3がカム溝７c3と係合する状態に切り換わる。
【００６９】
その後は、カムフォロア９c1，９c2，９c3がカム溝７c1，７c2，７c3とガタなしで係合した状態、かつ、カムフォロア９b1，９b2，９b3が遊嵌溝７d1，７d2，７d3に挿入した状態を維持してカム枠７のさらなる＋θ方向へ回転がなされ、テレ回転位置θtまで回転して、二群枠９がテレ位置まで繰り出される。
【００７０】
但し、カム枠７がテレ回転位置θtに到達する前にカムフォロア９b1，９b2，９b3が遊嵌溝７d1，７d2，７d3から解放（離脱）され、カム枠７の前端面より前方に飛び出し、二群枠９も一部が該前端面からはみ出す状態となる（図３，５）。
【００７１】
なお、カム枠７をテレ回転位置θtからワイド回転位置θwを経て沈胴回転位置θcまで戻す場合は、上述した動作と逆の動作が行われ、上記各カムフォロアの上記各カム溝と上記遊嵌溝との係合、遊嵌の切り換えがなされ二群枠９は、テレ位置からワイド位置を経て沈胴位置まで繰り込まれ、戻される。
【００７２】
以上、説明したように本実施形態のレンズ鏡筒１は、３対のカムフォロアと３対のカム溝を設けることによって、二群枠９がワイド位置、または、テレ位置に達したとき、カム枠７に対してカムフォロアを含む二群枠９の一部がカム枠７の後端面、または、前端面より突出する移動が可能である。これによって、二群枠９のより大きな進退動作が実現でき、しかも、沈胴状態では二群枠９はカム枠７内部に収納されるのでレンズ鏡筒の短縮化が実現される。
【００７３】
特に本実施形態によれば、上記カムフォロアと上記カム溝と係合箇所を常に３カ所以上に増やすことがないようにカム溝切り換えを回転位置を異なる回転位相で順次に行わせる。また、カム溝切り換えを対のカムフォロア間で同時に行わせる。従って、カム溝切り換え回転位置で、あるいは、カム駆動域でカム係合の詰まりが生じたり、カム枠７の回転負荷が大きく変化することが避けられ、ズーム駆動モータの必要トルクを抑えることができる。さらに、該切り換え動作中にカムフォロアの遊びが生じることなく、二群枠９のふらつきが生じることが防止でき、撮影画像のぶれ発生を抑えることができる。
【００７４】
そして、上述のように駆動負荷が増大することもないから回転枠３，カム枠７，二群枠９等の軽量化、小型化も実現できる。
【００７５】
なお、上記実施形態のレンズ鏡筒１においては、カム溝切り換え回転位置θe1，θe2，θe3が（１）式に示す関係にあり、カム溝切り換えが回転位置θe1を経て、回転位置θe2、さらに、回転位置θe3の順で到達するとしている。しかし、これに限らず、上述の到達順序が前後しても同様の効果が得られる。
【００７６】
また、カム枠７の内周面に設けられる上記各遊嵌溝は、必ずしも上記カム筋を中心軌跡とした溝形状のものに限る必要はない。例えば、上記遊嵌溝は、二群枠９のカムフォロアが隙間のある状態、または、接触しない状態で通過できる空間を通過可能なカム筋に沿った逃げ部であって、かつ、上記カム溝の上記溝切り換え点に連通する形状部であってもよく、同様の効果を奏することができる。
【００７７】
上記実施形態のレンズ鏡筒１においては、一対のカム溝に対する一対のカムフォロアのカム溝切り換えが、例えば、カム溝切り換え回転位置θe1で同時に行われた。詳しくは、一方のカムフォロアのカム溝から遊嵌溝への嵌合切り換えと、他方のカムフォロアの遊嵌溝からカム溝への嵌合切り換えとが同時に行われた。
【００７８】
しかし、上記実施形態の場合、カム溝の位置精度やカムフォロアの位置精度により両者の嵌合位相のずれが生じた場合、カム溝切り換え時だけではあるがカムフォロアのガタが発生したり、あるいは、逆にカム係合の詰まりが発生して駆動負荷が増えるといった問題が生じる可能性がある。
【００７９】
そこで、上述の問題点を解決するためのカム溝切り換えを所定の幅の回転領域で行うカム枠に関する二つの変形例（第一，第二の変形例）について、以下、説明する。なお、上述した実施形態の構成と同様の部材については、同一の符号を付し、異なる部分について説明する。
【００８０】
図７は、第一の変形例のカム枠におけるカム溝切り換え部（切り換え領域Δθe11の周辺）の拡大展開図である。
【００８１】
本変形例のカム枠において、三対のカム溝／遊嵌溝のワイド回転位置θwとテレ回転位置θtの間に前記一実施形態におけるカム溝切り換え回転位置θe1，θe2，θe3に代えてカム溝切り換え回転領域Δθe11，Δθe12，Δθe13（図示せず）が設けられている。
【００８２】
そのうち、一対のカム溝／遊嵌溝のカム溝切り換え回転領域Δθe11には、図７に示すようにカム溝切り換え部Ｇbにカムフォロア９c1が遊嵌挿入可能な遊嵌溝７e1とガタなし係合可能なカム溝７c1とが連通する溝切り換え点Ｐb11と、カムフォロア９b1が係合可能なカム溝７b1と遊嵌可能な遊嵌溝７d1とが連通する溝切り換え点Ｐa11とが存在している。溝切り換え点Ｐb11よりカム枠７の回転角＋θ側がカムフォロアのガタのない領域ｄdである。溝切り換え点Ｐa11よりカム枠７の回転角−θ側がカムフォロアのガタのない領域ｄcである。
【００８３】
カムフォロアにガタが生じない領域となる溝切り換え点Ｐb11と溝切り換え点Ｐa11とに挟まれたカム枠７の回転角の範囲が本変形例における切り換え期間を与えるカム溝切り換え回転領域Δθe11である。
【００８４】
本変形例の三対の他の二対のカム溝／遊嵌溝にも前記実施形態におけるカム溝切り換え回転位置θe2，θe3に代えてカム溝切り換え回転領域Δθe12，Δθe13（図示せず）が設けられている。このカム溝切り換え回転領域Δθe12，Δθe13でも上述したようにカムフォロアのガタのない状態が維持される。
【００８５】
これらのカム溝切り換え回転領域Δθe11とΔθe12とΔθe13とは、ワイド回転位置θwからテレ回転位置θt間の回転範囲で互いに重ならないように配されている。従って、カム枠７の回転中、カム溝切り換え回転領域Δθe11，Δθe12，Δθe13に二つ、または、三つが同時に差し掛かることはない。言い換えると、それら切り換えが同時に発生することはない。
【００８６】
なお、カム溝切り換え回転領域Δθe11とΔθe12とΔθe13の幅として、カム枠７および二群枠９のばらつきの最大時においても実質的に一方のカムフォロアと係合するカム溝に対して他方のカムフォロアと係合するカム溝とが僅かでも重複する領域が存在し得る回転領域幅に設定する。言い換えると、該カム溝切り換え回転領域では、切り換え動作時にばらつきのよってカムフォロアのガタが生じることがない。なお、上記ばらつきは、部品の寸法精度、および、組み立て精度を考慮したものである。
【００８７】
本変形例にてワイド状態からテレ状態にズーミングを行う場合、まず、カム枠７が回転して一対のカムフォロアがカム溝切り換え回転領域Δθe11に到達すると、該領域範囲でカムフォロア９b1と、９c1とが同時にカム溝７b1，７c1に係合することになる。従って、上記カムフォロアがこの切り換え回転領域Δθe11にあるとき、精度上の切り換え位置のずれによるガタつきの発生がなく、二群枠９のガタつき、ふれが抑えられる。
【００８８】
その後、他の二対のカムフォロアがそれぞれのカム溝切り換え回転領域Δθe12，Δθe13に順次、到達するが同様に該領域範囲で各一対のカムフォロアが同時に各一対のカム溝に係合することになり、カム溝切り換え動作中の二群枠９のガタつき、ふれが発生しない。
【００８９】
本実施形態の第一の変形例では、カム枠のカム溝と二群枠９のカムフォロアとが三カ所で摺接、係合しながら、カム枠の回転途中でカム枠のカム溝と二群枠９のカムフォロアとが一瞬だけ四カ所の摺接、係合が発生し、暫くすると、その係合が三カ所になる。これを含めて繰り返すようにこの四カ所の摺接、係合の発生がカム筋の全行程に対して比較的短い行程の極短い時間だけ三回、発生することになる。
【００９０】
上述したように本変形例のカム枠を適用した場合、カム枠や二群枠等に寸法や組み立てのばらつきがあったとしてもカム溝切り換え回転領域での二群枠９のガタつき、ふれの発生をより確実に抑えることができる。
【００９１】
次に、図８を用いて上述した第二の変形例のカム枠について説明する。
【００９２】
図８は、本変形例のカム枠におけるカム溝切り換え部（切り換え領域Δθe21の周辺）の拡大展開図である。
【００９３】
本変形例のカム枠７は、カム溝切り換え回転領域で発生が懸念されるカム溝切り換え時の詰まりをなくし、かつ、二群枠９のふれ発生を極力、最小限となるようにしたものである。
【００９４】
本変形例のカム枠において、三対のうちの一対のカム溝／遊嵌溝のワイド回転位置θwとテレ回転位置θtの間には、前記一実施形態におけるカム溝切り換え回転位置θe1に代えてカム溝切り換え回転領域Δθe21が設けられている。
【００９５】
カム溝切り換え回転領域Δθe21には、図８に示すようにカムフォロア９b1が係合可能なカム溝７b1と遊嵌可能な遊嵌溝７d1とが連通する溝切り換え点Ｐa21、および、カムフォロア９c1が遊嵌可能な遊嵌溝７e1と係合可能なカム溝７c1とが連通する溝切り換え点Ｐb21が存在している。溝切り換え点Ｐa21より回転角＋θ側は、カムフォロアのガタのある領域ｄeである。溝切り換え点Ｐb21より回転角−θ側は、カムフォロアのガタのある領域ｄfである。
【００９６】
上述したガタのある溝切り換え点Ｐa21から溝切り換え点Ｐb21までのカム枠７の回転角の範囲が本変形例における切り換え期間を与えるカム溝切り換え回転領域Δθe21である。
【００９７】
本変形例の三対の他の二対のカム溝／遊嵌溝にも前記実施形態におけるカム溝切り換え回転位置θe2，θe3に代えてガタある切り換え期間を与えるカム溝切り換え回転領域Δθe22，Δθe23（図示せず）が設けられている。
【００９８】
そして、カム溝切り換え回転領域Δθe21とΔθe22とΔθe23とは、ワイド回転位置θwからテレ回転位置θｔ間の回転範囲で重ならないように配されている。従って、カム枠７の回転中、カム溝切り換え回転領域Δθe21，Δθe22，Δθe23の二つ、または、三つに同時に差し掛かることはない。言い換えると、それら切り換えが同時に発生することがない。
【００９９】
本変形例にてワイド状態からテレ状態にズーミングを行う場合、まず、カム枠７が回転して一対のカムフォロアがカム溝切り換え回転領域Δθe21に到達すると、該領域範囲では、カムフォロア９b1と、９c1とが同時に遊嵌溝７d1，７e1にガタのある状態で挿入した状態となる。しかし、三対のうち、他の二対のそれぞれの一方のカムフォロア９b2，９b3がそれぞれ他の二対のそれぞれの一方カム溝７b2，７b3にガタなく係合している。
【０１００】
従って、カム溝切り換え回転領域Δθe21内にあるとき、二群枠９は、少なくとも上記二カ所のカムフォロアが上記カム溝にガタなく係合した二点支持状態にあり、結果的にふれやがたつきのない状態で繰り出し駆動がなれる。
【０１０１】
その後、カム枠７がカム溝切り換え回転領域Δθe21、さらに、Δθe22に到達したときも上述したカム溝切り換え回転領域Δθe21内にある状態と同様に二群枠９は少なくとも上記二カ所のカムフォロアが上記カム溝にガタなく係合した二点支持状態にあり、ふれやがたつきのない状態で繰り出し駆動がなされる。
【０１０２】
上述したように本変形例のカム枠を適用した場合、カム溝切り換え回転領域で一対のカムフォロアが切り換え動作をするときの遊嵌溝との隙間が生じたとしてもガタつきのない他の二対のカムフォロアで二群枠９を支持する。結果的に二群枠９のカム溝切り換え駆動時のガタつきやふれの発生を確実に抑えることができる。しかも、カムフォロアのつまりの発生もなくなる。
【０１０３】
本実施例の第二の変形例では、カム枠のカム溝と二群枠９のカムフォロアとが三カ所で摺接、係合しながら、カム枠の回転途中で、カム枠のカム溝と二群枠９のカムフォロアとが一瞬だけ二カ所のみの摺接、係合が発生し、暫くすると、その係合が三カ所となる。これを含め繰り返すようにこの二カ所だけのカムフォロアの摺接、係合の発生がカム筋の全行程に対して比較的に短い行程である短い時間だけ三回発生することになる。また、前述のＳ1、Ｓ2の値それぞれは、この第二の変形例の場合、カムフォロアの二カ所だけの摺接、係合が終了し、三カ所の摺接、係合になってから次のカムフォロアの二カ所だけの摺接、係合になってから次のカムフォロアの二カ所だけの摺接係合となるように、その値を採るようにすることが必要である。
【０１０４】
また、この第二の変形例の場合、もし、カムフォロアの二カ所だけの係合が画像に影響を与えた場合は、ズームのための駆動源であるモータ等の図示しないズーム駆動制御手段にこの位置でのズーム停止を行わせない制御を行えば、実用上の使用に差し支えが無くなる。
【０１０５】
なお、本実施形態の図６で示されるカム溝切り換えの切換点Ｐa1を基準としたとき、対となるカム構切換の切換点Ｐb1は切換点Ｐa1のカム溝切り換え回転位置θと同位置である。これに対し、上述の第１の変形例は、切換点Ｐa11を基準とすると、切換点Ｐb11は切換点Ｐa11の−θ側にある。上述の第２の変形例は、切換点Ｐa21を基準とすると、切換点Ｐb21は、切換点Ｐa21の＋θ側にあることになる。
【０１０６】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【０１０７】
本発明によるレンズ鏡枠は、短長の枠部材を適用し、かつ、進退移動量が大きく、進退駆動負荷抵抗、および、その変動も少なく、スムーズが進退駆動が可能であって、画像の像揺れ等の発生が防止できるレンズ鏡枠として利用できる。
【図面の簡単な説明】
【０１０８】
【図１】本発明の一実施形態のレンズ鏡枠を内蔵するレンズ鏡筒の光軸を含む沈胴状態での断面図である。
【図２】図１のレンズ鏡筒の光軸を含むワイド状態での断面図である。
【図３】図１のレンズ鏡筒の光軸を含むテレ状態での断面図である。
【図４】図１のレンズ鏡筒を構成するレンズ鏡枠を構成するカム枠と二／三群枠ユニットとフロートキーの分解斜視図である。
【図５】図４のカム枠のカム溝が配される内周面の展開図である。
【図６】図４のカム枠におけるカム溝切り換え部の拡大展開図である。
【図７】図４のカム枠の第一の変形例におけるカム溝切り換え部の拡大展開図である。
【図８】図４のカム枠の第二の変形例におけるカム溝切り換え部の拡大展開図である。
【図９】従来のレンズ鏡枠におけるカム環と可動環とに設けられるカムフォロアが係合するカム溝のワイド状態における展開図である。
【図１０】図９の従来のレンズ鏡枠におけるカム環と可動環とに設けられるカムフォロアが係合するカム溝のテレ状態における展開図である。
【符号の説明】
【０１０９】
７  …カム枠（第二の枠部材）
７b1…カム溝（第一のカム溝，第一のカム手段）
７c1…カム溝（第二のカム溝，第一のカム手段）
７d1…遊嵌溝
（第一の逃げ部位，第一のカム手段）
７e1…遊嵌溝
（第二の逃げ部位，第一のカム手段）
７b2…カム溝（第三のカム溝，第二のカム手段）
７c2…カム溝（第四のカム溝，第二のカム手段）
７d2…遊嵌溝
（第三の逃げ部位，第二のカム手段）
７e2…遊嵌溝
（第四の逃げ部位，第二のカム手段）
９  …二群枠（第一の枠部材）
９b1…カムフォロア（第一のカムフォロア）
９c1…カムフォロア（第二のカムフォロア）
９b2…カムフォロア（第三のカムフォロア）
９c2…カムフォロア（第四のカムフォロア）
【図１】
2008122480.tif 000003
【図２】
2008122480.tif 000004
【図３】
2008122480.tif 000005
【図４】
2008122480.tif 000006
【図５】
2008122480.tif 000007
【図６】
2008122480.tif 000008
【図７】
2008122480.tif 000009
【図８】
2008122480.tif 000010
【図９】
2008122480.tif 000011
【図１０】
2008122480.tif 000012